(57)【要約】      （修正有）【課題】  ツルの軸芯を中心とする回転が一切起こらず、ツルから抜けてしまうこともなく、しかも適切な装着感が得られる眼鏡用モダンを提供する。【解決手段】  柔軟性部材１の一端に硬質性部材２ａを、柔軟性部材１の他端に硬質性部材２ｂをそれぞれ一体に形成したものとしている。さらに、柔軟性部材１の一端に硬質性部材２ａを、柔軟性部材１の他端に硬質性部材２ｂをそれぞれ一体に形成し、硬質性部材２ａおよび柔軟性部材１を貫通し、硬質性部材２ｂに到るツルＴの挿入穴３を設けたものとしている。【選択図】    図１
2006184490.tif 000002
【特許請求の範囲】
【請求項１】
柔軟性部材（１）の一端に硬質性部材（２ａ）を、柔軟性部材（１）の他端に硬質性部材（２ｂ）をそれぞれ一体に形成したことを特徴とする眼鏡用モダン。
【請求項２】
柔軟性部材（１）の一端に硬質性部材（２ａ）を、柔軟性部材（１）の他端に硬質性部材（２ｂ）をそれぞれ一体に形成し、硬質性部材（２ａ）および柔軟性部材（１）を貫通し、硬質性部材（２ｂ）に到るツル（Ｔ）の挿入穴（３）を設けたことを特徴とする眼鏡用モダン。
【請求項３】
前記柔軟性部材（１）の長さを、硬質性部材（２ａ）と硬質性部材（２ｂ）を加えた長さより長くしたことを特徴とする請求項１または２記載の眼鏡用モダン。
【請求項４】
前記柔軟性部材（１）の表面の摩擦係数を大きくしたことを特徴とする請求項１または２記載の眼鏡用モダン。
【請求項５】
前記柔軟性部材（１）の硬度がＪＩＳタイプＡデュロメータ硬さ９０度以下であるものとし、硬質性部材（２ａ、２ｂ）の硬度がＪＩＳタイプＤデュロメータ硬さ５０度以上であるものとしたことを特徴とする請求項１または２記載の眼鏡用モダン。
【請求項６】
前記柔軟性部材（１）をエラストマー系樹脂からなるものとしたことを特徴とする請求項１または２記載の眼鏡用モダン。
【請求項７】
前記挿入穴（３）の内面に抜け防止手段（３ａ）を設けるか、または前記ツル（Ｔ）の外面に抜け防止手段（Ｔａ）を設けたことを特徴とする請求項２記載の眼鏡用モダン。
【請求項８】
前記柔軟性部材（１）の前半と後半の任意部位における挿入穴（３）のそれぞれの縦断面形状、硬質性部材（２ａ）の任意部位における挿入穴（３）の縦断面形状、硬質性部材（２ｂ）の任意部位における挿入穴（３）の縦断面形状をそれぞれ角形とし、その挿入穴（３）に挿入するツル（Ｔ）の前記部位における縦断面形状を挿入穴（３）の断面形状の合致する角形としたことを特徴とする請求項２記載の眼鏡用モダン。
【発明の詳細な説明】
【技術分野】
【０００１】
この発明は、眼鏡フレームのツルの先端部側に設けられる眼鏡用モダンに関するものである。
【背景技術】
【０００２】
従来、この種の眼鏡用モダンには、一般的に硬質の合成樹脂から形成されたものが存在する。
【０００３】
このような眼鏡用モダンは、眼鏡フレームのツルの先端部側に取り付けると、ツルの軸芯を中心とする回転が起こったり、抜けるというようなことはなく、安定した取付状態を維持できるという利点を有する。
【０００４】
また、この種の眼鏡用モダンには、柔軟性を有する合成樹脂、例えば図１０に示したような、モダン１１全体が柔軟な塩化ビニルまたは柔軟なアイオノマー樹脂から形成されたものが存在する（特許文献１）。
【０００５】
このような眼鏡用モダンは、使用者の側頭部や耳の付け根部分への当たりが柔らかく、眼鏡のフィット性を向上させうるとしている。また、従来のシリコン樹脂からなるものにおける汗等の水分の吸収がなく、従ってこれらの吸収に起因して眼鏡がずり落ちやすくなるなどの欠点を解消できるとしている。
【特許文献１】登録実用新案第３００７０１２号公報
【発明の開示】
【発明が解決しようとする課題】
【０００６】
しかしながら、上記従来の一般的な眼鏡用モダンは、硬質の合成樹脂から形成されているため、使用者の側頭部や耳の付け根部分への当たりが硬く、装着感が悪いという問題点を有していた。さらに、このような眼鏡用モダンは、表面が滑りやすく、耳からずり落ちやすいという問題点を有していた。
【０００７】
また、上記図１０に示したような眼鏡用モダンは、眼鏡フレームのツルの先端部側に差し込むと、柔軟な素材のみから形成されているため、ツルの軸芯を中心とする回転が起こり、適切なフィット感が得られないという問題点を有していた。さらに、このような眼鏡用モダンは、適切なフィット感が得られないばかりか、場合によってはツルから抜けてしまうことがあるという問題点を有していた。
【０００８】
そこで、この発明は、上記従来の問題点を解決することをその課題としており、ツルの軸芯を中心とする回転が一切起こらず、ツルから抜けてしまうこともなく、しかも適切な装着感が得られる眼鏡用モダンを提供することを目的としてなされたものである。
【課題を解決するための手段】
【０００９】
そのため、この発明の眼鏡用モダンは、柔軟性部材１の一端に硬質性部材２ａを、柔軟性部材１の他端に硬質性部材２ｂをそれぞれ一体に形成したものとしている。
【００１０】
さらに、この発明の眼鏡用モダンは、柔軟性部材１の一端に硬質性部材２ａを、柔軟性部材１の他端に硬質性部材２ｂをそれぞれ一体に形成し、硬質性部材２ａおよび柔軟性部材１を貫通し、硬質性部材２ｂに到るツルＴの挿入穴３を設けたものとしている。
【００１１】
そして、この発明の眼鏡用モダンは、柔軟性部材１の長さを、硬質性部材２ａと硬質性部材２ｂを加えた長さより長くしたものとしている。
【００１２】
また、この発明の眼鏡用モダンは、柔軟性部材１の表面の摩擦係数を大きくしたものとしている。
【００１３】
さらに、この発明の眼鏡用モダンは、柔軟性部材１の硬度がＪＩＳタイプＡデュロメータ硬さ９０度以下であるものとし、硬質性部材２ａ、２ｂの硬度がＪＩＳタイプＤデュロメータ硬さ５０度以上であるものとしている。
【００１４】
また、この発明の眼鏡用モダンは、柔軟性部材１をエラストマー系樹脂からなるものとしている。
【００１５】
さらに、この発明の眼鏡用モダンは、挿入穴３の内面に抜け防止手段３ａを設けるか、またはツルＴの外面に抜け防止手段Ｔａを設けたものとしている。
【００１６】
また、この発明の眼鏡用モダンは、柔軟性部材１の前半と後半の任意部位における挿入穴３のそれぞれの縦断面形状、硬質性部材２ａの任意部位における挿入穴３の縦断面形状、硬質性部材２ｂの任意部位における挿入穴３の縦断面形状をそれぞれ角形とし、その挿入穴３に挿入するツルＴの前記部位における縦断面形状を挿入穴３の断面形状の合致する角形としている。
【発明の効果】
【００１７】
この発明の眼鏡用モダンは、以上に述べたように構成されているため、ツルの軸芯を中心とする回転が一切起こらず、ツルから抜けてしまうこともなく、しかも適切な装着感が得られるものとなる。
【発明を実施するための最良の形態】
【００１８】
以下、この発明の眼鏡用モダンを実施するための最良の形態について、図面に基づき詳細に説明する。
【００１９】
図１は、この発明のモダンを装着した眼鏡を示しており、左右のレンズＲ、Ｒの鼻側上端部を連結するブリッジＢと、前記レンズＲ、Ｒの鼻側中央部にそれぞれ取り付けられたパッドＰ、Ｐと、前記レンズＲ、Ｒのテンプル側上端部にそれぞれ取り付けられたツルＴ、Ｔとから構成されている。そして、前記ツルＴの先端部側には、この発明のモダンＭが装着されている。なお、図示したものは、左右のレンズＲ、Ｒにそれぞれ縁Ｆ、Ｆを設けたものとしているが、縁Ｆ、Ｆのない縁無し眼鏡としてもよい。
【００２０】
前記モダンＭは、モダン成形時にツルＴの先端部側に成形するなどして装着されるものとしており、柔軟性部材１の一端に硬質性部材２ａを、柔軟性部材１の他端に硬質性部材２ｂをそれぞれ一体に形成したものとしている。
【００２１】
また、前記モダンＭは、モダン成形後にツルＴの先端部側に挿入することにより、装着されるものとしており、柔軟性部材１の一端に硬質性部材２ａを、柔軟性部材１の他端に硬質性部材２ｂをそれぞれ一体に形成し、硬質性部材２ａおよび柔軟性部材１を貫通し、硬質性部材２ｂに到るツルＴの挿入穴３を設けたものとしている。
【００２２】
前記柔軟性部材１と硬質性部材２ａ、２ｂとを一体に形成するには、例えば、柔軟性部材１の端部に硬質性部材２ａ、２ｂをインサート成形して固定することことができる。この場合、図４に示したように、柔軟性部材１の端部が硬質性部材２ａ、２ｂの端部に差し込まれるようにしたり、図５に示したように、柔軟性部材１の端部に硬質性部材２ａ、２ｂの端部が差し込まれるようにすることができる。このようにすると、柔軟性部材１と硬質性部材２ａ、２ｂとの接触面積が増え、密着度が向上するものとなる。なお、硬質性部材２ｂの後端部は、成形時に閉鎖されたものとするか、埋め物によって閉鎖されたものとしている。
【００２３】
そして、前記モダンＭは、柔軟性部材１の長さを、硬質性部材２ａと硬質性部材２ｂを加えた長さより長くしたものとしている。すなわち、前記硬質性部材２ａと硬質性部材２ｂの長さを略同一長とし、柔軟性部材１の長さを、硬質性部材２ａと硬質性部材２ｂを加えた長さの約３倍にするのが好ましい。図に示したものでは、柔軟性部材１の長さを７０〜７５ｍｍ程度とし、硬質性部材２ａを１２〜１４ｍｍ程度とし、硬質性部材２ｂを９〜１１ｍｍ程度としている。このようにすることにより、使用者の側頭部や耳の付け根部分に柔軟性部材１が当たるようにすれば、装着感が良くなる。
【００２４】
さらに、前記モダンＭは、柔軟性部材１としてエラストマー系の樹脂からなるものとしている。具体的に用いられる樹脂としては、ポリスチレン系エラストマー、ポリウレタン系エラストマー、ポリオレフィン系エラストマーなどが挙げられる。エラストマー系の樹脂の他には、ゴム系材料とすることもできる。また、硬質性部材２ａ、２ｂとしては、硬質の各種合成樹脂からなるものとしている。具体的に用いられる樹脂としては、ポリオレフィン系樹脂、ポリエステル系樹脂、ポリアミド系樹脂などが挙げられる。なお、柔軟性部材１をポリスチレン系エラストマーとし、硬質性部材２ａ、２ｂをポリプロピレン樹脂とすると、密着性のよい組み合わせとなり好ましい。
【００２５】
さらに、この発明の眼鏡用モダンは、柔軟性部材１の硬度がＪＩＳタイプＡデュロメータ硬さ（以下、デュロＡという）９０度以下であるものとし、硬質性部材２ａ、２ｂの硬度がＪＩＳタイプＤデュロメータ硬さ（以下、デュロＤという）５０度以上であるものとしている。柔軟性部材１の硬度がデュロＡ９０度以上であると、柔軟性に欠け装着感が劣るものとなる。柔軟性部材１の硬度は、デュロＡ３０〜７０度にするのが最も優れた装着感が得られ好ましいものとなる。硬質性部材２ａ、２ｂの硬度がデュロＤ５０度以下であると、硬度が低くツルＴの軸芯を中心とする硬質性部材２ａ、２ｂの回転が起こることがある。
【００２６】
また、この発明の眼鏡用モダンは、挿入穴３の内面に抜け防止手段３ａを設けたり、ツルＴの外面に抜け防止手段Ｔａを設けたものとすることができる。これら抜け防止手段３ａおよび抜け防止手段Ｔａは、モダンＭとツルＴの密着性を良くしたり摩擦力を大きくして、モダンＭがツルＴからより抜けにくくしている。抜け防止手段３ａは、図示したように、硬質性部材２ａに位置する挿入穴３の内面に形成した鋸歯形状の刻み目などとすることができる。また、抜け防止手段Ｔａは、ツルＴの外面に摩擦力の大きい合成樹脂を塗布したものとしたり、図示したように、ツルＴの外面に形成した鋸歯形状の刻み目などとすることができる。抜け防止手段は、挿入穴３またはツルＴの一方に設けても、双方に設けてもよい。図示したものでは、挿入穴３に設けた抜け防止手段３ａの鋸歯形状の刻み目と、ツルＴに設けた抜け防止手段Ｔａの鋸歯形状の刻み目が噛み合って、抜け防止をより強固なものとしている。
【００２７】
さらに、この発明の眼鏡用モダンは、柔軟性部材１の前半と後半の任意部位における挿入穴３のそれぞれの縦断面形状、硬質性部材２ａの任意部位における挿入穴３の縦断面形状、硬質性部材２ｂの任意部位における挿入穴３の縦断面形状をそれぞれ三角や四角などの角形とし、その挿入穴３に挿入するツルＴの前記部位における縦断面形状を挿入穴３の断面形状の合致する三角や四角などの角形としている。例えば、図６〜９に示したように、図２中のＡ−Ａ線断面、Ｂ−Ｂ線断面、Ｃ−Ｃ線断面、Ｄ−Ｄ線断面における挿入穴３およびツルＴの縦断面形状をそれぞれ四角としている。これは、ツルＴとモダンＭの密着性を高めて、ツルＴの軸芯を中心とするモダンＭの回転をより防止するためである。
【００２８】
また、前記柔軟性部材１の表面は、凹凸面としたり、梨地などとして、摩擦係数を大きくして、使用者の側頭部や耳の付け根部分からの滑り止め効果を有したものとすることができる。図に示したものでは、柔軟性部材１の幅方向に一定間隔をおいて複数本の溝４を設けて、柔軟性部材１の表面を凹凸面としている。
【００２９】
以上のように構成されたこの発明に眼鏡用モダンは、前記柔軟性部材１の部位は、滑り止めの機能を果たし、硬質性部材２ａ、２ｂの部位は、ツルＴの軸芯を中心とする回転と、ツルＴからの抜けを防止する機能を果たしている。従って、眼鏡がスポーツ用サングラスである場合などには、ハードな動きの中でも、モダンＭのフィット感を損ねることなく、本来持つべきフィット感を維持することができるともに、モダンＭがツルＴの軸芯を中心として回転せず、ツルＴから抜けてしまうことのないものとなる。
【図面の簡単な説明】
【００３０】
【図１】この発明のモダンを装着した眼鏡を示す斜視図である。
【図２】この発明のモダンを装着した眼鏡のツルの側面図である。
【図３】この発明のモダンを装着する前の眼鏡のツルの側面図である。
【図４】この発明のモダンの一実施形態を示す長さ方向断面図である。
【図５】この発明のモダンの他の実施形態を示す長さ方向断面図である。
【図６】図２中のＡ−Ａ線による断面図である。
【図７】図２中のＢ−Ｂ線による断面図である。
【図８】図２中のＣ−Ｃ線による断面図である。
【図９】図２中のＤ−Ｄ線による断面図である。
【図１０】従来のモダンを眼鏡のツル装着している状態の側面図である。
【符号の説明】
【００３１】
１  柔軟性部材
２ａ  硬質性部材
２ｂ  硬質性部材
３  挿入穴
３ａ  凹凸部
Ｔ  ツル
Ｔａ  凹凸部
【図１】
2006184490.tif 000003
【図２】
2006184490.tif 000004
【図３】
2006184490.tif 000005
【図４】
2006184490.tif 000006
【図５】
2006184490.tif 000007
【図６】
2006184490.tif 000008
【図７】
2006184490.tif 000009
【図８】
2006184490.tif 000010
【図９】
2006184490.tif 000011
【図１０】
2006184490.tif 000012